(57)【特許請求の範囲】
【請求項１】
特定区域の外部であって前記特定区域の出入口近傍に存在するＲＦタグのＩＤコードを受信する室外リーダライタと、
前記特定区域の内部であって前記特定区域の出入口近傍に存在するＲＦタグのＩＤコードを受信する室内リーダライタと、
前記特定区域の出入口に設けられた規制手段と、
前記室外リーダライタ、前記室内リーダライタ、及び前記規制手段と接続され、前記室外リーダライタが受信したＲＦタグのＩＤコードと予め記憶した認証用のＩＤコードとを照合して前記規制手段を制御する制御装置とを有し、
前記制御装置は、
前記特定区域内部の在室人数を記憶する記憶手段を有し、
前記室外リーダライタにてＩＤコードを受信して認証したＲＦタグの個数を前記記憶手段にて記憶する在室人数に加算し、当該加算した値が所定人数以上の場合に前記規制手段を制御して当該ＲＦタグを所持する操作者を前記特定区域に入室可能とし、
前記認証したＲＦタグのＩＤコードと、前記規制手段の前記制御の後に前記室内リーダライタにて受信したＲＦタグのＩＤコードとを比較し、ＩＤコードが一致したＲＦタグの個数を前記在室人数に加算し、当該加算した値を新たな在室人数として前記記憶手段に記憶することを特徴とする入退室管理システム。
【請求項２】
前記制御装置は、前記記憶手段に前記新たな在室人数を記憶すると、当該新たな在室人数が前記所定人数未満か否かを判定し、前記所定人数未満と判定すると警報装置により警報を出力することを特徴する請求項１記載の入退室管理システム。
【請求項３】
特定区域の内部であって前記特定区域の出入口近傍に存在するＲＦタグのＩＤコードを受信する室内リーダライタと、
前記特定区域の外部であって前記特定区域の出入口近傍に存在するＲＦタグのＩＤコードを受信する室外リーダライタと、
前記特定区域の出入口に設けられた規制手段と、
前記室内リーダライタ、前記室外リーダライタ、及び前記規制手段と接続され、前記室内リーダライタが受信したＲＦタグのＩＤコードと予め記憶した認証用のＩＤコードとを照合して前記規制手段を制御する制御装置とを有し、
前記制御装置は、
前記管理区域内部の在室人数を記憶する記憶手段を有し、
前記記憶手段にて記憶する在室人数から前記室内リーダライタにてＩＤコードを受信して認証したＲＦタグの個数を減算し、当該減算した値が所定人数でない場合に前記規制手段を制御して当該ＲＦタグを所持する操作者を前記特定区域から退室可能とし、
前記認証したＲＦタグのＩＤコードと、前記規制手段の前記制御の後に前記室外リーダライタにて受信したＲＦタグのＩＤコードとを比較し、ＩＤコードが一致したＲＦタグの個数を前記在室人数から減算し、当該減算した値を新たな在室人数として前記記憶手段に記憶することを特徴とする入退室管理システム。
【請求項４】
前記制御装置は、前記記憶手段にて記憶する在室人数から前記室内リーダライタにてＩＤコードを受信して認証したＲＦタグの個数を減算し、当該減算した値が所定人数である場合に前記規制手段を制御して操作者を前記特定区域から退室不可とすることを特徴する請求項３記載の入退室管理システム。
【発明の詳細な説明】
【技術分野】
【０００１】
本発明は、例えばＲＦ−ＩＤを用いて個人を認証し、認証結果に基づいて特定区域への入退室を管理し、特に、複数人が同時に入室又は退室する場合でも、個人情報や貴重品が保管されている特定区域での単独の在室を制限することのできる入退室管理システムに関する。
【背景技術】
【０００２】
従来、磁気カードや指紋・虹彩等を利用して個人を認証して、特定の部屋への入退室を管理する入退室監理システムが実用化されている。
そして、貴重品等を保管している部屋などで、部屋内の入室者が１人だけになることを防ぐようにした入退室管理システムが下記の特許文献１に記載されている。
【特許文献１】特開２０００−２９７５６７号公報
【発明の開示】
【発明が解決しようとする課題】
【０００３】
特許文献１に記載されている入退室管理システムは、管理区域内が無人である場合には、所定時間以内に２名の操作者データと照合すれば電気錠を解錠して、入室者数に２を加算し、管理区域内が無人でなければ、１名の操作者の照合により電気錠を解錠し、入室者数に１を加算するようにしている。
また、退室する際には、管理区域内の操作器で操作者を照合すると解錠し、入室者数から１を減算して、入室者数が１人の状態が所定時間継続した場合に不正入室があったと判断する。
従って、もし、１名の操作者の操作により電気錠を解錠して、複数人が同時に入室あるいは退室した場合には、当該システムが記憶している入室者数と実際の入室者がアンマッチとなり、確実に１人だけの在室状態を禁止することができないといった不都合がある。
【０００４】
本願の目的は、在室できる人数の条件が設定されている特定区域に、複数人が同時に入室あるいは退室する場合にでも、確実に無人又は所定の在室者数以上になるように入退室を制限することができる入退室管理システムを提供することにある。
【課題を解決するための手段】
【０００５】
本発明の入退室管理システムは、特定区域の外部であって前記特定区域の出入口近傍に存在するＲＦタグのＩＤコードを受信する室外リーダライタと、前記特定区域の内部であって前記特定区域の出入口近傍に存在するＲＦタグのＩＤコードを受信する室内リーダライタと、前記特定区域の出入口に設けられた規制手段と、前記室外リーダライタ、前記室内リーダライタ、及び前記規制手段と接続され、前記室外リーダライタが受信したＲＦタグのＩＤコードと予め記憶した認証用のＩＤコードとを照合して前記規制手段を制御する制御装置とを有し、前記制御装置は、前記特定区域内の在室人数を記憶する記憶手段を有し、前記室外リーダライタにてＩＤコードを受信して認証したＲＦタグの個数を前記記憶手段にて記憶する在室人数に加算し、当該加算した値が所定人数以上の場合に前記規制手段を制御して当該ＲＦタグを所持する操作者を前記特定区域に入室可能とし、前記認証したＲＦタグのＩＤコードと、前記規制手段の前記制御の後に前記室内リーダライタにて受信したＲＦタグのＩＤコードとを比較し、ＩＤコードが一致したＲＦタグの個数を前記在室人数に加算し、当該加算した値を新たな在室人数として前記記憶手段に記憶する。
本構成によれば、在室できる人数の条件が設定されている特定区域に、複数人が同時に入室する場合にでも、確実に条件どおりの在室者数になるように入室を制限することができる。更に、実際に入室した入室者の数により在室者数を管理することができる。
【０００６】
また、前記制御装置は、更に、前記記憶手段に前記新たな在室人数を記憶すると、当該新たな在室人数が前記所定人数未満か否かを判定し、前記所定人数未満と判定すると警報装置により警報を出力する。
【０００７】
また、本発明は、特定区域の内部であって前記特定区域の出入口近傍に存在するＲＦタグのＩＤコードを受信する室内リーダライタと、前記特定区域の外部であって前記特定区域の出入口近傍に存在するＲＦタグのＩＤコードを受信する室外リーダライタと、前記特定区域の出入口に設けられた規制手段と、前記室内リーダライタ、前記室外リーダライタ、及び前記規制手段と接続され、前記室内リーダライタが受信したＲＦタグのＩＤコードと予め記憶した認証用のＩＤコードとを照合して前記規制手段を制御する制御装置とを有し、前記制御装置は、前記特定区域内部の在室人数を記憶する記憶手段を有し、前記記憶手段にて記憶する在室人数から前記室内リーダライタにてＩＤコードを受信して認証したＲＦタグの個数を減算し、当該減算した値が所定人数でない場合に前記規制手段を制御して当該ＲＦタグを所持する操作者を前記特定区域から退室可能とし、前記認証したＲＦタグのＩＤコードと、前記規制手段の前記制御の後に前記室外リーダライタにて受信したＲＦタグのＩＤコードとを比較し、ＩＤコードが一致したＲＦタグの個数を前記在室人数から減算し、当該減算した値を新たな在室人数として前記記憶手段に記憶する。
本構成によれば、実際に退室した退室者の数により在室者数を管理することができる。
【０００８】
更に、前記制御装置は、前記記憶手段にて記憶する在室人数から前記室内リーダライタにてＩＤコードを受信して認証したＲＦタグの個数を減算し、当該減算した値が所定人数である場合に前記規制手段を制御して操作者を前記特定区域から退室不可とする。
本構成によれば、在室できる人数の条件が設定されている特定区域から、複数人が同時に退室する場合にでも、確実に条件どおりの在室者数になるように退室を制限することができる。
【発明の効果】
【０００９】
本発明によれば、在室できる人数の条件が設定されている特定区域に、複数人が同時に入室あるいは退室する場合にでも、確実に条件どおりの在室者数になるように入退室を制限することができる。
【発明を実施するための最良の形態】
【００１０】
以下に、本発明の実施の形態を図面に基づいて詳細に説明する。
図１は、本発明の実施の形態に係わる入退室システムの配置図である。
図２は、本発明の実施の形態に係わる入退室システムの全体構成を示す図である。
【００１１】
この入退室管理システムは、特に個人情報等が保管されているような、高度なセキュリティが要求される部屋等の入退室を管理するものである。
入退室管理システムは、特定区域である部屋の出入口扉に設けられた電気錠１１、室外リーダライタ１２、室外操作表示器１３、室内リーダライタ１４、室内操作表示器１５、警報装置１６、制御装置１０が設けられている。
【００１２】
制御装置１０と前記各部とは通信線により接続されている。
電気錠１１は制御装置１０からの制御信号により施解錠制御される。
室外操作表示器１３は、テンキーや操作スイッチ、液晶ディスプレー等により構成されており、入室しようとする操作者により操作される。
室外リーダライタ１４は、室外操作表示器１３の操作により起動し、例えば２．４５ＧＨｚ帯のマイクロ波を送出し、点線Ａの円内に存在するＲＦタグと交信する。
室内操作表示器１５は、テンキーや操作スイッチ、液晶ディスプレー等により構成されており、退室しようとする操作者により操作される。
室内リーダライタ１６は、室内操作表示器１５の操作により起動し、２．４５ＧＨｚ帯のマイクロ波を送出し点線Ｂの円内に所在するＲＦタグと交信する。
警報装置１６は、制御装置１０が在室者数の異常を検知した場合等に、室内のブザーを鳴動したり、遠隔の監視センタに警報を送信する。
【００１３】
次に図３を参照して、操作者が入室するときの動作について説明する。
図３は操作者が特定区域に入室するときの動作を示すフローチャートである。
【００１４】
入室しようとする全ての操作者はＲＦタグを所持する。
操作者は、特定区域の出入口扉の前にて室外操作表示器１３の押しボタンを操作する。
制御装置１０は室外操作表示器１３から操作信号を受信すると（Ｓ０１）、室外リーダライタ１２を起動し、室外リーダライタ１２はマイクロ波を出力する。操作者の所持するＲＦタグは室外リーダライタ１２からのマイクロ波を受信すると、ＩＤコードを返信する。室外リーダライタ１２はＲＦタグから受信したＩＤコードを制御装置１０に送信し、制御装置１０では、図示しない記憶手段に予め記憶されている認証用のＩＤコードと比較認証する。入室しようとする者が複数人いて、室外リーダライタ１２の通信エリア内Ａに複数のＲＦタグが存在する場合には、順次、各ＲＦタグとの通信と認証を繰り返す（Ｓ０２）。
【００１５】
制御装置１０は、その時点の在室者数を記憶部から読み出し（Ｓ０３）、認証したＩＤコードの数を在室者数に加算して、当該特定区域に予め設定された許容する最小在室者数（ここでは２名とする）と比較する。そして、加算値が２以上であるか否かを判定する（Ｓ０４）。
そして、加算値が最小在室者数の２以上の場合には電気錠１１に解錠信号を送信して解錠する（Ｓ０５）。
【００１６】
加算値が最小在室者の２未満の場合には、電気錠１１に解錠信号は送信せずに、室外操作表示器１３の表示部にその旨を表示する。
ここで、特定区域の室内が無人の場合で室外リーダライタ１２の交信したＲＦタグの数が１の場合には、加算値が１となるので、最小在室者数の２に満たないので電気錠１１に解錠信号を送信しない。
特定区域の室内が無人の場合でも室外リーダライタ１２の交信したＲＦタグの数が２の場合には、加算値が２となるので、最小在室者数の２以上となり電気錠１１に解錠信号を送信する。
また、在室者数が２人の場合には、室外リーダライタ１２の交信したＲＦタグの数が１であっても、加算値は３となり、加算値が最小在室者数の２以上となり電気錠１１に解錠信号を送信する。
【００１７】
電気錠１１が解錠されると制御装置１０は室内リーダライタ１４を起動する。
室内リーダライタ１４は、室外リーダライタ１２と同様にマイクロ波を送出する。
室内に入室した操作者のＲＦタグは室内リーダライタ１４のマイクロ波を受信するとＩＤコードを返信する。
返信されたＩＤコードは室内リーダライタ１４にて受信され、制御装置１０へ送信される。
制御装置１０では、受信したＩＤコードとステップＳ０３にて受信して認証したＩＤコードを比較し（Ｓ０６）、一致したＩＤコードの数だけ実際に特定区域の室内に入室したものと判断して在室者数に加算して記憶する（Ｓ０７）。
【００１８】
次に制御装置１０では、ステップＳ０７で記憶した在室者数が１であるか否かを判定する（Ｓ０８）。
例えば、電気錠１１の解錠前の在室者数が０のときに、室外リーダライタ１２が２名のＲＦタグのＩＤを照合して電気錠１１を解錠し、そのまま２名が入室した場合にはＳ０７における判定で在室人数が２となるので、動作を終了する。
しかし、例えば、電気錠１１の解錠前の在室者数が０のときに、室外リーダライタが２名のＲＦタグのＩＤを照合して電気錠１１を解錠したにもかかわらず、実際には１名しか入室しなかった場合にはＳ０７における判定で在室人数が１となる。
在室者数が１となると、在室者数異常として警報装置１６により警報を出力する（Ｓ０９）。
【００１９】
次に、図４を参照して、特定区域の室内にいる操作者が退室するときの動作を説明する。
図４は操作者が特定区域から退室するときの動作を示すフローチャートである。
【００２０】
特定区域内の全ての操作者はＲＦタグを所持する。
操作者は、出入口扉の前にて室内操作表示器１５の押しボタンを操作する。
制御装置１０は室内操作表示器１５から操作信号を受信すると（Ｓ１１）、室内リーダライタ１４を起動する。室内リーダライタ１４は、マイクロ波を出力する。操作者の所持するＲＦタグは室内リーダライタ１４からのマイクロ波を受信すると、ＩＤコードを返信する。室内リーダライタ１４はＲＦタグから受信したＩＤコードを制御装置１０に送信し、制御装置１０では、図示しない記憶部にあらかじめ記憶されている認証用のＩＤコードと比較認証する。退室しようとする者が複数人いて、室内リーダライタ１４の通信エリア内Ｂに複数のＲＦタグが存在する場合には、順次、各ＲＦタグとの通信と認証を繰り返す（Ｓ１２）。
【００２１】
制御装置１０は、その時点の在室者数を記憶部から読み出し（Ｓ１３）、認証したＩＤコードの数を在室者数から減算して、減算した数が１名であるか否かを判定する（Ｓ１４）。
そして、例えば、特定区域の在室者数が３人の場合には、室内リーダライタ１４の交信したＲＦタグの数が１の場合には、減算値は２となり、減算値が１ではないので電気錠１１に解錠信号を送信する（Ｓ１５）。
また、例えば、特定区域の在室者数が３人の場合で、室内リーダライタ１４の交信したＲＦタグの数が３の場合には、減算値は０となり、減算値が１ではないので電気錠１１に解錠信号を送信する（Ｓ１５）。
尚、例えば、特定区域の在室者数が３人の場合で、室内リーダライタ１４の交信したＲＦタグの数が２の場合には減算値は１となり、室内に１名のみで残る可能性があるので、電気錠１１に解錠信号は送信せずに、室内操作表示器１５の表示部にその旨を表示する。
【００２２】
電気錠１１が解錠されると制御装置１０は室外リーダライタ１２を起動する。
室外リーダライタ１２はマイクロ波を送出し、退室した操作者のＲＦタグは室外リーダライタ１２のマイクロ波を受信するとＩＤコードを返信する。
返信されたＩＤコードは室外リーダライタ１２にて受信され、制御装置１０へ送信される。
制御装置１０では、受信したＩＤコードとステップＳ１２にて受信して認証したＩＤコードを比較し（Ｓ１６）、一致したＩＤコードの数だけ実際に特定区域内から退室したものと判断して在室者数に減算して記憶する（Ｓ１７）。
【００２３】
次に制御装置１０では、ステップＳ１７で記憶した在室者数が１であるか否かを判定する（Ｓ１８）。
例えば、電気錠１１の解錠前の在室者数が２のときに、室内リーダライタ１４が２名のＲＦタグのＩＤを照合して電気錠１１を解錠したにもかかわらず、実際には１名が退室した場合にはＳ１７における判定で在室人数が１となる。
在室者数が１となると、在室者異常として警報装置により警報を出力する（Ｓ１９）。
【００２４】
尚、上記の実施の形態では、許容できる最小の在室者数を２として説明したが、これに拘わらず例えば３名以上であってもよく、適用する特定領域により適宜設定すればよい。
【図面の簡単な説明】
【００２５】
【図１】図１は、本発明の実施の形態に係わる入退室システムの配置図である。
【図２】図２は、本発明の実施の形態に係わる入退室システムの全体構成を示す図である。
【図３】図３は、操作者が特定区域に入室するときの動作を示すフローチャートである。
【図４】図４は、操作者が特定区域から退室するときの動作を示すフローチャートである。
【符号の説明】
【００２６】
１０：制御装置
１１：電気錠
１２：室外リーダライタ
１３：室外操作表示器
１４：室内リーダライタ
１５：室内操作表示器
１６：警報装置
【図１】
0004778309.tif 000002
【図２】
0004778309.tif 000003
【図３】
0004778309.tif 000004
【図４】
0004778309.tif 000005